【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】統合情報通信システム及びＩＰ通信の方法
【手続補正２】
【補正対象書類名】特許請求の範囲
【補正対象項目名】全文
【補正方法】変更
【補正の内容】
【特許請求の範囲】
【請求項１】
ＩＰ転送網は複数のアクセス制御装置、変換表サーバ、ユーザサービスサーバ、当局サーバ、認証サーバ、登録サーバ、接続サーバ、ドメイン名サーバを含み、前記アクセス制御装置及び前記複数のサーバは内部通信回線により接続されており、前記アクセス制御装置は複数レコードから成る変換表を含み、複数の端末はユーザ通信回線、ユーザ通信回線終端の論理端子を経て前記アクセス制御装置のいずれかに接続されており、
ユーザ１は前記ユーザサービスサーバにローミング端末の利用を申込み、前記ユーザサービスサーバは前記当局サーバと連携して、ユーザ１のＩＣＳドメイン名１とユーザ１のＩＣＳユーザアドレス１、暗号関連データ１、暗号機能、ローミング端末共通ＩＣＳユーザアドレス、前記登録サーバのＩＣＳユーザアドレス、前記接続サーバのＩＣＳユーザアドレスを前記ユーザ１に供与し、前記ＩＣＳユーザアドレス１については前記ユーザ１が定めて前記ユーザサービスサーバに提示することが可能であり、アクセス制御装置１の論理端子１に接続するユーザ通信回線にユーザ１のホーム端末１を接続するよう指定し、前記論理端子１に付与するＩＣＳネットワークアドレス１を定め、
前記ユーザサービスサーバ及び前記当局サーバは前記ＩＣＳドメイン名１を前記認証サーバに登録し、
前記ＩＣＳドメイン名１、前記ＩＣＳユーザアドレス１及び前記ＩＣＳネットワークアドレス１の３組を前記ドメイン名サーバに通知し、前記ドメイン名サーバはこれら３組を内部に保持し、
前記ＩＣＳユーザアドレス１及び前記登録サーバのＩＣＳユーザアドレスを含むレコード１を前記アクセス制御装置１内の変換表に設定するよう前記変換表サーバに指示し、前記変換表サーバは前記レコード１を設定し、前記ユーザ１は、前記ホーム端末１内に少なくとも前記ＩＣＳユーザアドレス１と前記ＩＣＳドメイン名１、暗号関連データ１、前記暗号機能、前記ローミング端末共通ＩＣＳユーザアドレス、前記登録サーバのＩＣＳユーザアドレスを設定し、
前記ユーザ１は前記ユーザ１自身が用いるパスワード１を決め、送信元アドレスを前記ユーザ１のＩＣＳユーザアドレス１、宛先アドレスを前記登録サーバのＩＣＳユーザアドレスとし、少なくとも前記ＩＣＳドメイン名1、暗号情報１を含むＩＣＳユーザフレームを生成して前記ホーム端末１から送信し、前記暗号情報１は前記暗号関連データ１及び前記パスワード１を用いて生成しており、
前記アクセス制御装置１において前記レコード１が用いられて前記ＩＣＳユーザフレームを含むＩＣＳネットワークフレームＸが形成され、前記ＩＣＳネットワークフレームＸが前記登録サーバに到達し、前記登録サーバは前記認証サーバに向けて前記ＩＣＳネットワークフレームＸの情報を含むＩＣＳネットワークフレームＹを形成して送信し、
前記認証サーバは受信した前記ＩＣＳネットワークフレームＹから前記パスワード１を復元し、前記ＩＣＳドメイン名１と前記パスワード１の組をその内部に保持し、以上の手順によってにローミング準備を行うことを特徴とする統合情報通信システム。
【請求項２】
ＩＰ転送網は複数のアクセス制御装置、変換表サーバ、認証サーバ、ドメイン名サーバを含み、前記アクセス制御装置及び前記複数のサーバは内部通信回線により接続されており、
前記アクセス制御装置は複数レコードから成る変換表を含み、
複数の端末はユーザ通信回線、ユーザ通信回線終端の論理端子を経て前記アクセス制御装置のいずれかに接続されており、
端末Ａと端末Ｂは、端末Ａ−通信回線Ａ−アクセス制御装置Ａ−前記ＩＰ転送網内部−アクセス制御装置Ｂ−通信回線Ｂ−端末Ｂを経由してＩＣＳユーザフレームを送受する通信が可能であり、
少なくともアクセス制御装置２は内部の変換表内に前記ローミング端末共通ＩＣＳユーザアドレス及び前記接続サーバのＩＣＳユーザアドレスを含むレコードＲを設定済みであり、
前記ユーザ１は少なくともユーザ１のＩＣＳユーザアドレス１、ユーザ１のＩＣＳドメイン名１、暗号関連データ１、暗号機能、ローミング端末共通ＩＣＳユーザアドレス、接続サーバのＩＣＳユーザアドレスを含む端末２をアクセス制御装置２に接続し、
前記端末２からＩＣＳドメイン名３である端末３へ通信接続するため、送信元アドレスを前記ＩＣＳユーザアドレス１、宛先アドレスを前記接続サーバのＩＣＳユーザアドレスとし、少なくとも前記ＩＣＳドメイン名１及び前記ＩＣＳドメイン名３、及び前記暗号関連データ１及び前記パスワード１を用いて生成した暗号パラメータを含むＩＣＳユーザフレーム３を生成して前記端末２から前記アクセス制御装置２に送信し、
前記アクセス制御装置２において前記レコードＲが用いられてＩＣＳネットワークフレーム３Ｘが形成され、前記ＩＣＳネットワークフレーム３Ｘは前記接続サーバに到達し、前記接続サーバは前記ＩＣＳネットワークフレーム３Ｘを受信し、前記認証サーバに問合わせて、前記ＩＣＳユーザフレーム３Ｘに含まれるユーザ１の前記ドメイン名１とユーザ１の前記パスワード１との組が前記認証サーバに登録されていることを確認し、前記確認すると前記接続サーバは前記ドメイン名サーバに前記ドメイン名１及びドメイン名３に対応するＩＣＳユーザアドレス及びＩＣＳネットワークアドレスを問合わせて取得し、前記接続サーバは、前記ドメイン名１及び前記ドメイン名３に対応するアドレスを含むレコード２を前記アクセス制御装置２の変換表に設定するよう前記変換表サーバに指示し、前記接続サーバは前記取得したドメイン名３に対応する少なくとも前記端末３のＩＣＳユーザアドレス３を前記端末２に返信し、
前記端末２は、送信元アドレスを前記ユーザ１の前記ＩＣＳユーザアドレス１、宛先アドレスを前記ＩＣＳユーザアドレス３とするＩＣＳユーザフレーム３を生成して送信すると、前記アクセス制御装置２において前記ＩＣＳユーザフレーム３がＩＣＳネットワークフレーム３となって前記ＩＰ転送網内部を転送され着信側のアクセス制御装置４に到達して前記ＩＣＳユーザフレーム３が復元されて前記端末３に到達するようになっていることを特徴とする統合情報通信システム。
【請求項３】
ＩＰ転送網は複数のアクセス制御装置及び複数のサーバを含み、前記アクセス制御装置及び前記サーバは内部通信回線により接続されており、前記複数のサーバはドメイン名サーバ、変換表サーバを含み、ＩＣＳフレームを送受する通信が可能であり、前記アクセス制御装置は複数レコードから成る変換表を含み、複数の端末はユーザ通信回線ユーザ通信回線終端の論理端子を経て前記アクセス制御装置のいずれかに接続されており、
送信側の端末１が送信したＩＣＳユーザフレーム１がユーザ通信回線１、論理端子１を経て発信側のアクセス制御装置１に入力すると、前記論理端子１を識別するための論理端子識別情報１及び前記ＩＣＳユーザフレーム１内の少なくとも受信ユーザアドレスが前記アクセス制御装置１内の変換表のレコード１として登録され、前記レコード１が着信側論理端子識別情報を含んでいると、前記ＩＣＳユーザフレーム１及び前記着信側論理端子識別情報を含むＩＣＳネットワークフレーム１が形成され、前記発信側アクセス制御装置１から送出された前記ＩＣＳネットワークフレーム１は転送されて着信側のアクセス制御装置２に到達し、前記ＩＣＳネットワークフレーム１内の前記着信側論理端子識別情報を基に着信側論理端子２が決定され、前記ＩＣＳネットワークフレーム１から前記ＩＣＳユーザフレーム１が復元され、復元された前記ＩＣＳユーザフレーム１は前記着信側論理端子２及びユーザ通信回線２を経て受信側の端末２に到達可能であり、
端末３がサーバ３に向けてＩＣＳユーザフレーム３を送信するとアクセス制御装置３内のレコード３内の前記サーバ３のアドレスが参照され、ＩＣＳネットワークフレーム３が形成されて前記サーバ３に到達し、前記サーバ３がＩＣＳネットワークフレーム４を形成して送信すると、前記アクセス制御装置３においてＩＣＳユーザフレーム４が復元されて前記端末３に到達可能であり、
前記変換表サーバは、前記変換表のレコードを含むＩＣＳフレームを用いて前記アクセス制御装置と通信を行うことにより、前記アクセス制御装置内の変換表のレコードの更新が可能であることを特徴とするＩＰ通信の方法。
【請求項４】
前記ＩＰ転送網は更に１以上のユーザサービスサーバ、１以上の当局サーバを含み、前記ユーザサービスサーバは少なくとも複数ユーザの利用申込み情報を保持し、前記当局サーバは少なくともユーザが用いるドメイン名やアドレスを保持し、前記ＩＰ転送網の運用者は少なくとも前記ユーザサービスサーバ、前記変換表サーバを用いて前記ＩＰ転送網の運用を行うようになっている請求項３に記載のＩＰ通信の方法。
【請求項５】
前記アクセス制御装置３は、前記変換表内の前記レコード３内に前記端末３のＩＣＳユーザアドレスが含まれていないことを確認すると前記ＩＣＳユーザフレーム３を廃棄し、前記ＩＣＳネットワークフレーム３を前記サーバ３に送信せず、前記変換表内のレコードに未登録の端末から前記サーバ３への通信を不可能にする請求項３又は４に記載のＩＰ通信の方法。